(57)【要約】【課題】放送局から受信された情報に基づいて受信装置の所在地を決定し、所在地に含まれる防災・安全情報を適切に受信することが可能な受信装置等を提供すること。【解決手段】ワンセグ送信局（３０）により受信可能なワンセグ放送のチャンネルを利用して、前記受信装置の所在地を決定する。Ｖ−Ｌｏｗ放送局から受信されたＶ−Ｌｏｗ放送からＡＣ信号を検出し、検出されたＡＣ信号に防災・安全情報が含まれている場合には、当該防災・安全情報の対象地域に、所在地が含まれているか判定する。防災・安全情報の対象地域に、所在地が含まれている場合には、Ｖ−Ｌｏｗ放送局から緊急サービスを受信する。【選択図】図１
2016220025.tif 000002
【特許請求の範囲】
【請求項１】
地上マルチメディア放送を行う第１の放送局と、ワンセグ放送を行う第２の放送局とから放送を受信可能な受信装置であって、
前記第２の放送局の放送を送信する送信局から受信されたワンセグ放送に基づいて、前記受信装置の所在地を決定する所在地決定手段と、
前記第１の放送局から受信された地上マルチメディア放送からＡＣ信号を検出する検出手段と、
前記検出されたＡＣ信号に防災・安全情報が含まれている場合には、当該防災・安全情報の対象地域に、前記所在地が含まれているか判定する所在地判定手段と、
前記防災・安全情報の対象地域に、前記所在地が含まれている場合には、前記第１の放送局から緊急サービスを受信する緊急サービス受信手段と、
を備えることを特徴とする受信装置。
【請求項２】
前記所在地判定手段は、前記ワンセグ放送を受信中のチャンネルと、当該ワンセグ放送に含まれる識別子とから、前記受信装置の所在地を決定することを特徴とする請求項１に記載の受信装置。
【請求項３】
前記所在地決定手段は、前記第２の放送局から、所定の間隔でワンセグ放送を受信して、前記受信装置の所在地を決定することを特徴とする請求項１又は２に記載の受信装置。
【請求項４】
前記所在地決定手段は、前記第２の放送局から受信されるワンセグ放送を複数のチャンネルを切り替えることにより、一又は複数の識別子から、前記受信装置の所在地を判定することを特徴とする請求項１から３の何れか一項に記載の受信装置。
【請求項５】
地上マルチメディア放送を行う第１の放送局と、ワンセグ放送を行う第２の放送局とに接続可能な端末装置に、
前記第２の放送局から受信されたワンセグ放送に基づいて、前記端末装置の所在地を決定する所在地決定機能と、
前記第１の放送局から受信された地上マルチメディア放送からＡＣ信号を検出する検出機能と、
前記検出されたＡＣ信号に防災・安全情報が含まれている場合には、当該防災・安全情報の対象地域に、前記所在地が含まれているか判定する所在地判定機能と、
前記防災・安全情報の対象地域に、前記所在地が含まれている場合には、前記第１の放送局から緊急サービスを受信する緊急サービス受信機能と、
を実現させるためのプログラム。
【発明の詳細な説明】
【技術分野】
【０００１】
本発明は、地上マルチメディア放送を行う第１の放送局と、ワンセグ放送を行う第２の放送局とから放送を受信可能な受信装置等に関する。
【背景技術】
【０００２】
地上マルチメディア放送では、ＴＭＣＣ（Transmission Multiplexing Configuration Control）情報とＡＣ（Auxiliary Channel）キャリアを利用して緊急情報との伝送が可能である。ＴＭＣＣ情報が緊急警報情報を含む場合はビット割り当ての「Ｂ２６」＝「１」となり（例えば、非特許文献１の第１部 ３．１５．５．３  起動制御信号を参照）、ＴＳ（Transport Stream）の受信とＴＳに含まれる放送番組の提示動作に必要な機能を起動させることができる。
【０００３】
ＡＣキャリアで地震動警報情報又は地域の防災・安全情報を伝送する場合、これらの情報が対象とする地域はＡＣ信号内の情報から取得可能である。また、ＡＣ信号に地震動情報や地域の防災・安全情報が含まれているか否かはＡＣ信号のＢ２１〜Ｂ２３の値で判断される（例えば、非特許文献１の第２部  表３−１８）。
【先行技術文献】
【非特許文献】
【０００４】
【非特許文献１】ARIB STD-B46 V2.1の第2部「3.16 AC信号」http://www.arib.or.jp/english/html/overview/doc/2-STD-B46v2_1.pdf
【発明の概要】
【発明が解決しようとする課題】
【０００５】
ここで、ＧＰＳや通信ネットワークから位置情報を得ることができない移動端末（ＧＰＳや通信機能を備えない安価な受信専用端末や、ＧＰＳや通信ネットワークが利用できない状況の端末）では、ＡＣ信号で伝送される地域の防災・安全情報の対象地域に、自端末が所在しているか分からないため、他地域が対象の地域の防災・安全情報の放送でもＴＳ受信が起動されてしまう。これは、無駄な電力消費につながるという問題点があった。
【０００６】
特に、地域の防災・安全情報は、地震情報と比較すると緊急度が高くないにもかかわらず、毎回ＴＳ受信が起動されてしまうという問題点が生じていた。
【０００７】
上述した課題に鑑み、本発明が目的とするところは、受信可能なデジタル放送のチャンネルを利用することで受信装置の所在地を決定し、所在地に含まれる防災・安全情報を適切に受信することが可能な受信装置等を提供することである。
【課題を解決するための手段】
【０００８】
上述した課題に鑑み、本発明の受信装置は、地上マルチメディア放送を行う第１の放送局と、ワンセグ放送を行う第２の放送局とから放送を受信可能な受信装置であって、前記第２の放送局の放送を送信する送信局から受信されたワンセグ放送の受信状態に基づいて、前記受信装置の所在地を決定する所在地決定手段（例えば、図７のステップＳ２１４、Ｓ２１６、Ｓ２１８）と、前記第１の放送局から受信された地上マルチメディア放送からＡＣ信号を検出する検出手段（例えば、図６のステップＳ１０６）と、前記検出されたＡＣ信号に防災・安全情報が含まれている場合には、当該防災・安全情報の対象地域に、前記所在地が含まれているか判定する所在地判定手段（例えば、図６のステップＳ１１２）と、前記防災・安全情報の対象地域に、前記所在地が含まれている場合には、前記第１の放送局から緊急サービスを受信する緊急サービス受信手段（例えば、図６のステップＳ１１２；Ｙｅｓ、ステップＳ１１４）と、を備えることを特徴とする。
【発明の効果】
【０００９】
本発明によれば、受信装置がワンセグ放送に基づいて自受信装置の所在地を決定し、その所在地が含まれる地域の防災・安全情報が受信された場合に、緊急サービスを受信することとなる。したがって、ワンセグ放送の受信だけで自受信装置の所在地を特定することが可能となり、自受信装置の所在地と関係の無いサービスは受信されず、無駄な受信処理を実行する必要が無くなる。
【図面の簡単な説明】
【００１０】
【図１】システム全体の概略を説明するための図である。
【図２】第１実施形態における受信装置の機能構成を示すブロック図である。
【図３】第１実施形態における動作タイミングを説明するための図である。
【図４】第１実施形態のワンセグ送信局ＤＢのデータ構造の一例を示す図である。
【図５】第１実施形態の地域情報ＤＢのデータ構造の一例を示す図である。
【図６】第１実施形態におけるＡＣ信号モニタ処理を示す動作フローである。
【図７】第１実施形態におけるワンセグ受信処理を示す動作フローである。
【図８】第１実施形態におけるＶ−Ｌｏｗ緊急サービス受信処理を示す動作フローである。
【図９】第２実施形態における動作タイミングを説明するための図である。
【発明を実施するための形態】
【００１１】
以下、本発明の実施の形態について図面を参照して説明する。なお、本実施形態では、一例として、本発明の受信装置を地上マルチメディア放送が受信可能な可搬型の受信装置、例えば、地上マルチメディア放送を受信可能なスマートフォン、カーナビゲーション、電子辞書、コンピュータ等を例にして説明する。
【００１２】
［１．第１実施形態］
まず、第１実施形態について説明する。
【００１３】
［１．１  全体構成］
第１実施形態における全体構成について説明する。まず、一般的な緊急放送サービスの受信についての動作について説明する。
【００１４】
地上マルチメディア放送の一例であるＶＨＦ−Ｌｏｗ帯のセグメント連結放送の受信装置が緊急放送受信に対応する場合、以下のいずれかの方法によって緊急放送が伝送されていることを検知し、緊急放送サービスの受信を行う。
【００１５】
（１）緊急警報放送起動フラグによる自動起動
（２）ＡＣ（Auxiliary Channel）信号を定期的に受信し、ＡＣ信号のＢ１−Ｂ３より、「地震動警報情報又は地域の防災・安全情報」が伝送されていると判断された場合にＴＳ受信を起動する
【００１６】
例えば、図１（ａ）を用いて動作を説明する。Ｖ−Ｌｏｗ送信局２０は、Ｖ−Ｌｏｗ放送局から放送されるＶＨＦ−Ｌｏｗ帯のセグメント連結放送の送信を行う送信局である。そして、Ｖ−Ｌｏｗ送信局２０の放送エリアＲ２０に、受信装置１０（１０Ａ、１０Ｂ、１０Ｃ）が存在している。また、緊急放送（緊急警報放送）の対象地域Ｒ１０に、受信装置１０Ａと受信装置１０Ｂとが含まれている。ここで、放送エリアとは、同一の放送が行われているエリアであり、Ｖ−Ｌｏｗ送信局２０又はＶ−Ｌｏｗ送信局２０と中継局（不図示）とによって構成されている。
【００１７】
ここで、受信装置１０Ａ、１０Ｂは、緊急放送対象地域内であり、受信装置１０Ｃは緊急放送対象地域外である。すなわち、受信装置１０Ａ、１０Ｂは、上述した（１）又は（２）により、緊急放送サービスを受信するが、受信装置１０Ｃは地震動警報情報又は地域の防災・安全情報を伝送するＡＣ信号を受信しても、緊急放送サービスの受信を行う必要は無い。
【００１８】
ＶＨＦ−Ｌｏｗ帯のセグメント連結放送では、緊急放送（地震動警報情報、地域の防災・安全情報）の対象地域の情報がＡＣ信号で伝送される場合があり（このときＡＣ信号のビット列のＢ１７、Ｂ１８が「０」，「０」となる）、受信装置は、この対象地域情報によって、自身が所在する地域以外を対象とした放送と判断できる場合は、緊急放送サービスの受信を行わずにすみ、電力消費を抑えることができる。
【００１９】
また、もし対象地域情報を利用できなければ、放送エリア内の各所に対する緊急放送サービスを全て受信する動作となってしまい、場合によっては非常に多くの電力消費につながる。
【００２０】
図１（ｂ）は、本実施形態におけるシステム全体を説明するための図である。図１に加えて、ワンセグ放送局から放送されるワンセグ放送の送信を行う送信局／中継局（以下、「ワンセグ送信局」とする）３０が更に含まれている。すなわち、受信装置１０Ａはワンセグ送信局３０Ａの放送エリアＲ３０Ａ、受信装置１０Ｂはワンセグ送信局３０Ｂの放送エリアＲ３０Ｂ、受信装置１０Ｃはワンセグ送信局３０Ｃの放送エリアＲ３０Ｃにそれぞれ含まれている。
【００２１】
そして、各受信装置１０は、直近の時間帯に受信したワンセグ送信局であるワンセグ送信局３０の情報（受信チャンネル）から自受信装置の所在地を更新する。そして、ＡＣ信号で伝送される対象地域情報と照合し、所在地域を対象とした緊急放送の場合にＴＳの受信を行う。
【００２２】
［１．２  機能構成］
続いて、本発明における受信装置１０の機能構成について説明する。図２に示すように、受信装置１０は、制御部１１０と、チューナ部１２０と、ＡＣ信号解析部１３０と、Ｖ−Ｌｏｗ受信制御部１４０と、Ｖ−Ｌｏｗサービス提示部１４５と、ワンセグ受信制御部１５０と、記憶部１６０と、所在地情報管理部１７０と、操作部１８０と、表示部１８５と、音出力部１９０とを備えている。
【００２３】
制御部１１０は、受信装置１０の全体を制御するための機能部である。制御部１１０は、記憶部１６０に記憶されている各種プログラムを読み出して実行することにより各種機能を実現しており、例えばＣＰＵ（Central Process Unit）等により構成される。
【００２４】
また、後述する操作部１８０、またはＡＣ信号解析部１３０からの指示によりＶ−Ｌｏｗ受信制御部１４０又はワンセグ受信制御部１５０に、各々が制御する放送方式の受信を指示する。位置情報把握のためのワンセグ定期受信や緊急放送情報把握のためのＡＣ信号定期受信のタイミングの制御を行う。
【００２５】
チューナ部１２０は、ＶＨＦ−Ｌｏｗ帯セグメント連結放送と、ＵＨＦ帯の地上デジタル放送（ワンセグ）を受信可能なデジタル放送チューナである。なお、本実施形態ではデジタル放送として、ワンセグ放送を受信することとしているが、併せてフルセグ放送を受信できても良い。
【００２６】
ＡＣ信号解析部１３０は、制御部１１０から指示されたタイミングで定期的にチューナから出力されるＡＣ信号の解析を行う。ＡＣ信号に緊急放送とその対象地域を指定する情報がある場合は、所在地情報管理部１７０に、対象地域に所在地が含まれるか問い合わせ、含まれる場合は、制御部１１０にＶ−Ｌｏｗ緊急放送サービス受信を要求する。
【００２７】
Ｖ−Ｌｏｗ受信制御部１４０は、制御部１１０からＶＨＦ−Ｌｏｗ帯放送受信を指示された場合、チューナから入力されるＴＳ（トランスポートストリーム）から必要なパケットを抽出し解析を行い、受信対象のサービスをユーザに提示するための処理を行う。
【００２８】
Ｖ−Ｌｏｗサービス提示部１４５は、Ｖ−Ｌｏｗ受信制御部１４０から必要な情報を受け取り、Ｖ−Ｌｏｗ放送のサービス（映像・音声・データ放送等）をユーザに提示する。
【００２９】
ワンセグ受信制御部１５０は、制御部１１０からワンセグ放送受信を指示された場合、チューナ部１２０から出力されるＴＳから必要なパケットを抽出し解析を行う。本実施形態においては、ワンセグは位置特定の用途で受信を行う。
【００３０】
ワンセグ受信時、ＰＳＩ／ＳＩを解析して得られるネットワークＩＤ又はサービスＩＤより送信局を特定し、ワンセグ送信局ＤＢ（データベース）１６２等に登録された、送信局と周波数（チャンネル）との関係より所在地情報を得る。
【００３１】
ここで、チューナ部１２０等の動作タイミングについて図３を用いて説明する。図３は時間軸に信号の受信区間を図示したものである。Ｐ１０はＶ−ＬｏｗのＡＣ信号モニタ区間であり、Ｐ１２はワンセグ定期受信区間、Ｐ１４はＶ−Ｌｏｗ緊急サービス受信区間である。
【００３２】
Ｖ−ＬｏｗのＡＣ信号監視のため、１分間隔にＶ−Ｌｏｗ放送の受信を行う（Ｐ１０）。このとき、ＡＣ信号解析部１３０は動作するが、ＴＳの受信は行わないのでＶ−Ｌｏｗ受信制御部１４０は動作しない。
【００３３】
所在地特定のため、１０分間隔でワンセグ放送の受信を行う（Ｐ１２）。送信局と受信周波数（受信チャンネル）とから、所在エリアを特定し、所在地情報管理部１７０の情報を更新する。
【００３４】
Ｖ−ＬｏｗのＡＣ信号で、受信装置が所在する地域に向けた防災・安全情報が伝送されていた場合は、Ｖ−Ｌｏｗ受信制御部１４０を起動し、Ｖ−Ｌｏｗ放送のＴＳの受信を行う（Ｐ１４）。防災・安全サービスがリアルタイム視聴サービスの場合は、ユーザにリタルタイム放送の映像・音声を提示し、防災・安全放送が蓄積型のサービスである場合は、受信機に搭載されるメモリに放送番組を蓄積する。
【００３５】
記憶部１６０は、受信装置１０の動作に必要な各種プログラムや、各種データが記憶されている機能部である。記憶部１６０は、例えば、半導体メモリや、ＨＤＤ（Hard Disk Drive）等により構成されている。また、記憶部１６０には、ワンセグ送信局ＤＢ１６２と、地域情報ＤＢ１６４とが記憶されている。なお、本実施形態では、受信装置１０の記憶部１６０に記憶されているが、クラウド上等に記憶されていても良い。
【００３６】
ワンセグ送信局ＤＢ１６２は、全国のワンセグ放送の送信局・中継局における送出周波数（チャンネル）と受信エリアの情報を格納したデータベースである。ワンセグ受信制御部１５０から与えられる情報（送信局名、受信周波数）により、所在地を求めることができる。
【００３７】
ここで、ワンセグ送信局ＤＢ１６２のデータ構造の一例を図４に示す。図４はワンセグ送信局３０の送信チャンネルと放送を識別する識別子（例えば、サービスＩＤ）とを対応づけたＤＢである。具体的には、エリアと局名（送信局／中継局名）とに対応づけてサービスＩＤ毎に送信チャンネル（使用チャンネル）が記憶されている。
【００３８】
例えば、サービスＩＤと受信チャンネルより、所在地の候補となる局名を抽出する。抽出された局名が複数ある場合は、所在地の絞り込みのため、さらにサービスＩＤと受信チャンネルの対応関係を必要とする。抽出された候補が１つである場合は、その時点で所在地が確定する。
【００３９】
例えば、具体的な動作としては、まず、所在地域でワンセグ受信を起動し、１３ｃｈ〜５２ｃｈ（ワンセグ放送で使用される物理チャンネル）の範囲で各放送局のＰＭＴ（Program Map Table）受信を試みる。そして、最初に受信できたチャンネル番号とサービスＩＤとによってデータベースを照合し、候補地域（候補地域は、送信局・中継局の放送エリアの地域）を得る。
【００４０】
図４のＤＢを例にとると、「２２ｃｈ」で「０５９８」の放送を受信した場合、候補地は東京２３区（東京局）、八王子（八王子局）、西多摩（青梅局）があるため、さらに別の放送局のチャンネル番号を取得して地域の絞り込みを行う（図４では異なるチャンネル番号の記載がないが、未記載のサービスＩＤで異なるチャンネルを使用する放送局があれば、その放送局のＰＭＴを受信すれば地域の絞り込みが行える）。「２９ｃｈ」で「０５８０」の放送を受信した場合は八王子以外に候補地域がないため、その時点で地域特定が完了する。
【００４１】
図５は、地域情報ＤＢ１６４のデータ構造の一例である。ワンセグ送信局３０と、地域識別の情報と、全国地方公共団体コードとを対応づけて記憶している。ワンセグ送信局ＤＢ１６２で抽出された局名に基づいて、所在地の地域識別又は全国地方公共団体コードを本ＤＢにより取得可能となる。
【００４２】
ここで、地域情報ＤＢ１６４の地域識別、全国地方公共団体コードはＡＲＩＢ  ＳＴＤ−Ｂ４６で、ＡＣ信号で地域指定のために送出される情報に対応した情報が記憶されている。
【００４３】
所在地情報管理部１７０は、一定時間毎に更新される、ワンセグ受信制御部１５０が求めた所在地を管理し、ＡＣ信号解析部１３０からの問合せに対し現在の所在地を返却する機能部である。
【００４４】
操作部１８０は、受信装置１０に対して利用者が操作を入力するための機能部である。例えば、ハードウェアキーやタッチパネル等で実現されるソフトウェアキー、音声入力といった何れかの方法で実現できる。
【００４５】
表示部１８５は、各種情報、映像等を表示する為の機能部であり、例えばＬＣＤ等により構成される。また、音出力部１９０は、音を出力するための機能部であり、スピーカーやヘッドフォン等により構成される。
【００４６】
［１．３  処理の流れ］
続いて本実施形態における処理の流れについて、処理フローを用いて説明する。
【００４７】
［１．３．１  ＡＣ信号モニタ処理］
まず、最初にＶ−Ｌｏｗ信号モニタ区間の処理フローとして、図６のＡＣ信号モニタ処理について説明する。
【００４８】
まず、ＡＣ信号のモニタを開始するために、Ｖ−Ｌｏｗ受信モードでチューナ部１２０を起動し、ＶＨＦ−Ｌｏｗ帯のチャンネルを選局する（ステップＳ１０２）。続いて、タイマをスタートする（ステップＳ１０４）。これは、受信圏外の場合でも、一定時間経過後（例えば５秒経過後）に、チューナ部１２０をＯＦＦにするためである。
【００４９】
ここで、ＡＣ信号を検出する（ステップＳ１０６）。ＡＣ信号が所定時間検出されない場合には、チューナ部１２０を停止し、ＡＣ信号モニタ処理を終了する（ステップＳ１０６；Ｎｏ→ステップＳ１０８；Ｙｅｓ→ステップＳ１１６）。
【００５０】
所定時間以内（ステップＳ１０６；Ｎｏ→ステップＳ１０８；Ｎｏ→ステップＳ１０６）に、ＡＣ信号が検出された場合には（ステップＳ１０６；Ｙｅｓ）、緊急情報として、地域の防災・安全情報があるか否かを判定する（ステップＳ１１０）。具体的には、ＡＣ信号解析部１３０は、ＡＣ信号の各ビットをチューナから取得し、防災・安全情報の有無、地域情報の有無を判定する。
【００５１】
ここで、地域の防災・安全情報が無い場合（ステップＳ１１０；Ｎｏ）や、地域の防災・安全情報があっても、所在地が対象地域ではない場合には（ステップＳ１１０；Ｙｅｓ→ステップＳ１１２；Ｎｏ）、チューナ部１２０を停止し（ステップＳ１１６）、本処理を終了する。他方、地域の防災・安全情報があり、所在地が対象地域である場合には（ステップＳ１１０；Ｙｅｓ→ステップＳ１１２；Ｙｅｓ）、Ｖ−Ｌｏｗ緊急サービスの受信処理を実行する（ステップＳ１１４、図８）。所在地が対象地域であるか否かは、具体的にはＡＣ信号に記載される対象地域に、現在の所在地が含まれるかどうか判断して行う。
【００５２】
［１．３．２  ワンセグ受信処理］
続いて、ワンセグ定期受信区間の処理フローについて、図７を用いて説明する。まず、チューナ部１２０を起動し、初期チャンネル（例えば、１３ｃｈ）を選局する（ステップＳ２０２）。ここで、ワンセグ定期受信時は、チャンネルスキャンと同様の動作を行う。ただし、あるチャンネルで受信した送信局の情報により、スキャンを継続しても、所在地のさらなる絞り込みができない場合は途中で処理を停止する。
【００５３】
続いて、ＰＭＴの受信を開始する（ステップＳ２０４）。これにより、ＰＭＴ記載のｓｅｒｖｉｃｅ＿ｉｄを取得する。ここで、ｓｅｒｖｉｃｅ＿ｉｄは放送局を特定するために使用される。
【００５４】
続いてタイマをスタートする（ステップＳ２０６）。受信中のチャンネルで一定時間（例えば、１秒）、ＰＭＴが受信できなかった場合、次のチャンネルを選局する。
【００５５】
具体的には、ＰＭＴが所定時間受信できなかった場合、最終チャンネルでなければ受信チャンネルを１加算し、再度ＰＭＴを受信する（ステップＳ２０８；Ｎｏ→ステップＳ２１０；Ｙｅｓ→ステップＳ２２０；Ｎｏ→ステップＳ２２４→ステップＳ２０８）。なお、全てのチャンネルを実行した後は、本処理を終了する（ステップＳ２２０；Ｙｅｓ）。
【００５６】
続いて、ＰＭＴが受信できた場合には（ステップＳ２０８；Ｙｅｓ）、タイマを停止し（ステップＳ２１２）、ｓｅｒｖｉｃｅ＿ｉｄ（サービスＩＤ）を取得する（ステップＳ２１４）。ここで、ｓｅｒｖｉｃｅ＿ｉｄのｂ１５〜ｂ１０は地域識別に割当てられている（ＡＲＩＢ  ＴＲＢ−１４  第７編  ９．１．３）ため、ＰＭＴ受信により所在地の大まかな特定は可能である（サービスＩＤに地域識別に割り当てられるビットがあるためである）。本実施形態では、所在地の絞り込みを行うため、ワンセグ送信局ＤＢ１６２、地域情報ＤＢ１６４を利用する。
【００５７】
続いて、受信装置１０の地域が決定出来た場合には所在地を更新する（ステップＳ２１６；Ｙｅｓ→ステップＳ２１８）。受信装置１０の地域が決定出来なかった場合は、ステップＳ２２０から処理を実行する（ステップＳ２１６；Ｎｏ→ステップＳ２２０）。
【００５８】
なお、複数の送信局が使用するチャンネル情報を用いればさらに所在地の絞り込みが可能な場合は、チャンネルスキャン処理を継続しても良い。現在までに受信した送信局から求められる所在地以上の絞り込みができない場合はチャンネルスキャン処理を停止し、所在地を更新するという構成にしても良い。
【００５９】
［１．３．３  Ｖ−Ｌｏｗ緊急サービス受信処理］
続いて、Ｖ−Ｌｏｗ緊急サービス受信処理について、図８を用いて説明する。まず、受信チャンネルの各サービスのＰＭＴのＰＩＤを取得するためにＰＡＴ（Program Association Table）（ＰＩＤは固定）受信を開始する（ステップＳ３０２）。
【００６０】
続いて、ＰＡＴを受信し（ステップＳ３０４）、受信したＰＡＴを解析し、受信中のチャンネルで放送中の各サービスのＰＭＴのＰＩＤを保持する（ステップＳ３０６）。続いて、ＰＭＴの受信を開始し、任意のサービスのＰＭＴを受信する（ステップＳ３０８→ステップＳ３１０）。
【００６１】
受信したＰＭＴの緊急情報記述子に記載されるサービスＩＤを取得し（ステップＳ３１２）、ＰＡＴ解析により得られたサービスＩＤとそのサービスのＰＭＴのＰＩＤとの関係を用いて、緊急放送サービスのＰＭＴの受信を開始する（ステップＳ３１４）。
【００６２】
緊急放送サービスのＰＭＴの受信をすると（ステップＳ３１６）、ＰＭＴを解析して得られる各ＥＳ（Elementary Stream）（映像・音声・データ放送等）の分離・抽出を開始する（ステップＳ３１８）。そして、サービスＩＤで判断される放送種別に対応した処理を行う（例えば、ユーザに対して映像・音声を提示する等）（ステップＳ３２０）。
【００６３】
［１．４  効果］
このように、本実施形態によれば、受信装置に装備されているチューナを使用し、受信チャンネルを利用して所在地の位置情報を得ることができる。したがって、ＧＰＳや通信ネットワークからの位置情報が得られない場合でも、自受信装置が防災・安全情報放送の対象地域かを判断でき、他地域が対象の情報の受信を行わず、効率的な緊急放送受信を行うことができる。
【００６４】
［１．５  変形例］
最後のワンセグ定期受信の後に、ユーザ操作によってワンセグの受信が行われ、そのときの送信局と受信チャンネルの対応関係により、所在地の移動が推定される場合は、ユーザによるワンセグ受信終了後にワンセグによる所在地特定処理を行ってもよい。この場合、ユーザによって行われたワンセグ受信により、所在地の大まかな特定はできているので、ワンセグによる所在地特定処理において受信を行うチャンネルを限定し、処理の高速化を行える。すなわち、ユーザによりワンセグ視聴で特定できた地域とその周辺で使用されているチャンネルに限定できる。
【００６５】
また、ワンセグ定期受信処理間に行われたユーザによるワンセグ受信の情報を利用して、ワンセグ定期受信処理時のスキャン対象のチャンネルを限定することとしても良い。
【００６６】
また、受信機がフルセグ受信機能を備える場合、ワンセグ定期受信処理間に行われたユーザによるフルセグ受信によって、ワンセグ定期受信処理時のスキャン対象のチャンネルを限定しても良い。
【００６７】
［２．第２実施形態］
続いて、第２実施形態について説明する。第２実施形態は、ワンセグ定期受信を行わず、ＡＣ信号に防災・安全情報が検出された場合に、ワンセグによる所在地の特定を行う処理である。なお、第１実施形態のシステムの構成、各装置の構成は同一であるため、その詳細は省略する。
【００６８】
すなわち、本実施形態における動作タイミングについて図９を用いて説明する。Ｖ−ＬｏｗのＡＣ信号監視のため、１分間隔にＶ−Ｌｏｗ放送の受信を行う（Ｐ１０）。このとき、ＡＣ信号解析部１３０は動作するが、ＴＳの受信は行わないのでＶ−Ｌｏｗ受信制御部１４０は動作しない。
【００６９】
Ｖ−ＬｏｗのＡＣ信号に、防災・安全情報が伝送されていた場合は、ＡＣ信号の対象地域情報を保持後、チューナ部１２０をワンセグ受信モードに切替え、図７の処理を実行する。このタイミングでワンセグ放送の受信を行う（Ｐ１２）。このワンセグ受信処理により特定された所在地域に向けた防災・安全情報であると判断できた場合は、再度チューナ部１２０をＶ−Ｌｏｗ受信モードに戻し、Ｖ−Ｌｏｗ受信制御部１４０を起動し、Ｖ−Ｌｏｗ放送のＴＳの受信を行う（Ｐ１４）。防災・安全放送がリアルタイム視聴サービスの場合は、ユーザにリタルタイム放送の映像・音声を提示し、防災・安全放送が蓄積型のサービスである場合は、受信機に搭載されるメモリに放送番組を蓄積する。
【００７０】
本実施形態ではワンセグ受信処理を図６のステップＳ１１０とステップＳ１１２との間で実行することとなる。
【００７１】
［３．第３実施形態］
続いて、第３実施形態について説明する。第１実施形態、第２実施形態では、ワンセグ受信時に取得するＰＳＩ（Program Specific Information）はＰＭＴを対象としている。これは、ＰＭＴの再送周期が２００ｍｓと短いために、タイムアウト時間を短く設定でき、ワンセグ定期受信処理時間を短くすることができるためである。
【００７２】
本実施形態では、ＰＭＴの代わりに取得対象をＮＩＴ（Network Information Table）とする。この場合、タイムアウト時間はＰＭＴより長めに設定される。また放送局特定のために使用される情報はネットワークＩＤとなる。
【００７３】
なお、この場合におけるシステム全体の構成、機能構成、処理については第１実施形態等と同様である。
【００７４】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００７５】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【符号の説明】
【００７６】
１０：受信装置  ２０：Ｖ−Ｌｏｗ送信局  ３０：ワンセグ送信局  １１０：制御部
１２０：チューナ部  １３０：ＡＣ信号解析部  １４０：Ｖ−Ｌｏｗ受信制御部
１４５：Ｖ−Ｌｏｗサービス提示部  １５０：ワンセグ受信制御部  １６０：記憶部
１６２：ワンセグ送信局ＤＢ  １６４：地域情報ＤＢ  １７０：所在地情報管理部
１８０：操作部  １８５：表示部  １９０：音出力部
【図１】
2016220025.tif 000003
【図２】
2016220025.tif 000004
【図３】
2016220025.tif 000005
【図４】
2016220025.tif 000006
【図５】
2016220025.tif 000007
【図６】
2016220025.tif 000008
【図７】
2016220025.tif 000009
【図８】
2016220025.tif 000010
【図９】
2016220025.tif 000011